(57)【要約】【課題】多くの電極を必要とする測定に使用でき、かつ電極貼付位置に短時間で貼付できる生体電極を提供する。【解決手段】本発明の生体電極は、基材１と、複数の電極端子３ａ〜３ｆと、複数の導電性部材４ａ〜４ｆと、基材１に形成された切り離し部ｐと、を有する。基材１は、絶縁性および柔軟性を備える。複数の電極端子３ａ〜３ｆは、基材１の一面に互いに等間隔で離隔して一列に並んで形成される。複数の導電性部材４ａ〜４ｆは、複数の電極端子３ａ〜３ｆと各々電気的に接続され、基材１の他面において生体と接触しうる。【選択図】図１Ａ
2013252180.tif 000002
【特許請求の範囲】
【請求項１】
絶縁性および柔軟性を備える基材と、
前記基材の一面に互いに等間隔で離隔して一列に並んで形成された複数の電極端子と、
前記複数の電極端子と各々電気的に接続され、それぞれが電気的に非導通となっており、前記基材の他面に配置されて生体と電気的に接触されうる複数の導電性部材と、を有し、
隣り合う２つの前記電極端子および前記導電性部材の間の前記基材に切り離し部が形成されていることを特徴とする生体電極。
【請求項２】
前記複数の導電性部材を除いた前記基材の他面に前記生体電極を前記生体に付着させるための粘着部材がさらに設けられ、前記基材の切り離し部と同じ位置の前記粘着部材の位置に切り離し部が形成されていることを特徴とする請求項１に記載の生体電極。
【請求項３】
前記基材の長辺と前記切り離し部とが交差する位置に切欠きがさらに形成されていることを特徴とする請求項１または２に記載の生体電極。
【請求項４】
隣り合う２つの前記電極端子の間隔は、３〜８ｃｍであることを特徴とする請求項１〜３のいずれか１項に記載の生体電極。
【請求項５】
請求項１〜４のいずれか１項に記載の生体電極がロール状に巻回されてなる生体電極ロール。
【発明の詳細な説明】
【技術分野】
【０００１】
本発明は、生体電極および生体電極ロールに関する。
【背景技術】
【０００２】
医療現場では、患者の心電図などの生体情報を迅速に測定することが望まれている。一般に心電計などの生体情報測定装置は、生体の状態の変化に伴って生体内部で生じる電気信号を生体の皮膚表面に貼付した電極を通じて検出し、この電気信号を解析して心電図などの生体情報を取得している。医師、救急救命士などの医療従事者は、取得された生体情報を参考にして患者の容態を診断し、患者に対して必要な措置を講じる。とくに医療従事者が患者に対して迅速に対応することが求められる救急医療の現場では、患者の体表において電極を貼付する所定位置（以下、電極貼付位置と称する。）に短時間で複数の電極を貼付する必要がある。
【０００３】
これまで、救急医療の現場では、１つ１つ個別に製造され、所定の個数が袋などで梱包された電極を１つ１つ患者の体表の電極貼付位置に貼付する方法が主に採用されてきた。しかし、この方法では、電極を電極貼付位置に１つ１つ貼付するため手間や時間がかかるという問題がある。これに対し、複数の電極を容易かつ迅速に貼付する観点から、３つの電極が三角形の頂点の位置に配されたシート状の心電図測定用電極が下記の特許文献１に開示されている。特許文献１の技術では、心電図測定用電極を元のシート状の状態で患者に貼付したのち、電極を分離および再配置して３電極誘導法で心電図を測定する。
【先行技術文献】
【特許文献】
【０００４】
【特許文献１】特開２００７−５００３３号公報
【発明の概要】
【発明が解決しようとする課題】
【０００５】
しかしながら、上記の特許文献１に記載の構造の心電図測定用電極では、３電極誘導法で心電図を測定することを想定しており、より多くの生体電極を必要とする心電図測定、たとえば１２誘導心電図を測定することはできない。本発明は、上述した問題に鑑みてなされたものである。したがって、本発明の目的は、多くの電極を必要とする心電図測定に使用でき、かつ電極貼付位置に短時間で貼付できる生体電極を提供することである。
【課題を解決するための手段】
【０００６】
本発明の上記目的は、下記の手段によって達成される。
【０００７】
本発明の生体電極は、基材と、複数の電極端子と、複数の導電性部材と、上記基材に形成された切り離し部と、を有する。上記基材は、絶縁性および柔軟性を備える。上記複数の電極端子は、基材の一面に互いに等間隔で離隔して一列に並んで形成される。上記複数の導電性部材は、上記複数の電極端子と各々電気的に接続され、それぞれが電気的に非導通となっており、上記基材の他面に配置されて生体と電気的に接触されうる。上記切り離し部は、隣り合う２つの上記電極端子および上記導電性部材の間の上記基材に形成されている。
【０００８】
また、本発明の生体電極ロールは、上記生体電極がロール状に巻回されてなる。
【発明の効果】
【０００９】
本発明の生体電極によれば、患者の胸部の電極貼付位置に対応するように複数の単位電極が等間隔に離隔して一列に連続的に形成されているので、分離して貼付する単位電極の個数を抑制できる。したがって、多くの単位電極を必要とする心電図測定に使用でき、かつ患者の胸部の電極貼付位置に短時間で貼付できる。
【００１０】
また、本発明の生体電極ロールによれば、生体電極がロール状に巻回されているので、医療従事者は、心電図測定に必要な個数の単位電極を含む生体電極を生体電極ロールの本体から分離して使用できる。
【図面の簡単な説明】
【００１１】
【図１Ａ】本発明の第１の実施形態における生体電極の表（おもて）面を示す平面図である。
【図１Ｂ】図１Ａに示す生体電極の裏面を示す平面図である。
【図１Ｃ】図１Ａに示す生体電極のＣ−Ｃ線に沿って切断した断面図である。
【図２】本発明の第１の実施形態における生体電極の梱包例を説明するための図である。
【図３】生体電極の電極貼付位置を説明するための人体の部分的な模式図である。
【図４】ホルタ心電図検査用に使用する場合における生体電極の電極貼付位置を説明するための人体の部分的な模式図である。
【図５Ａ】本発明の第１の実施形態において、１２誘導心電図の胸部誘導の測定に生体電極を使用する場合について説明するための図である。
【図５Ｂ】本発明の第１の実施形態において、１２誘導心電図の胸部誘導および四肢誘導の測定に生体電極を使用する場合について説明するための図である。
【図５Ｃ】本発明の第１の実施形態において、３電極法（３点誘導法）のモニタリングの測定に生体電極を使用する場合について説明するための図である。
【図５Ｄ】本発明の第１の実施形態において、５電極の心電図測定に生体電極を使用する場合について説明するための図である。
【図５Ｅ】本発明の第１の実施形態において、６電極の心電図測定に生体電極を使用する場合について説明するための図である。
【図６Ａ】本発明の第１の実施形態の生体電極を被験者に貼付する実験を実施した際の施行時間を示す図である。
【図６Ｂ】従来の生体電極を被験者に貼付する実験を実施した際の施行時間を比較例として示す図である。
【図７】本発明の第２の実施形態の生体電極ロールを説明するための図である。
【発明を実施するための形態】
【００１２】
以下、添付した図面を参照して本発明の生体電極の実施形態を説明する。なお、図中、同一の部材には、同一の符号を用いた。また、図面の寸法比率は、説明の都合上誇張されており、実際の比率とは異なる場合がある。
【００１３】
（第１の実施形態）
＜生体電極の構造＞
図１Ａは本発明の第１の実施形態における生体電極の表（おもて）面を示す平面図であり、図１Ｂは図１Ａに示す生体電極の裏面を示す平面図（後述する剥離シート２をはがした状態）であり、図１Ｃは図１Ａに示す生体電極のＣ−Ｃ線に沿って切断した断面図である。なお、以下では、本実施形態の生体電極を心電図測定に使用した場合について例示して説明するが、本実施形態の生体電極は他の生体情報測定に使用されうる。
【００１４】
図１Ａ〜図１Ｃに示すとおり、本実施形態の生体電極１０は、基材１、剥離シート２、電極端子３ａ〜３ｆ、および導電性部材４ａ〜４ｆを有する。電極端子３ａ〜３ｆは、導電性材料で作られていて心電信号を図示しない心電計本体へ送出するためのクリップが接続されうる。また、導電性部材４ａ〜４ｆは導電性ゲルからなっていて、基材１の裏面にそれぞれ電極端子３ａ〜３ｆに接触して配置され、それぞれ電極端子３ａ〜３ｆと電気的に導通しているとともに、生体電極１０を患者に装着したときに、患者の体表と電気的に接続されうる。
【００１５】
基材１は、絶縁性および柔軟性のある帯状のシート材であり、たとえば樹脂のような材料で形成されている。また、基材１には、電極端子３ａ〜３ｆを取り付けるための貫通孔が基材１の幅方向中心部に、長手方向に沿って等間隔に設けられている。さらに基材１には、隣り合う２つの電極端子の間のほぼ中央に、長手方向に直角にミシン目ｐ（切り離し部）が形成されている。
【００１６】
本実施形態では、基材１は、略矩形状に形成され、基材１の裏面の導電性部材４ａ〜４ｆを除く部分には、生体としての患者の体表に基材１を粘着固定するための非導電性の粘着部材ＡＤが付着されている。粘着部材ＡＤおよび導電性部材４ａ〜４ｆは剥離シート２によって覆われている。粘着部材ＡＤおよび剥離シート２にも基材１のミシン目ｐの位置と同じ位置にミシン目が形成されている。
【００１７】
また、基材１、粘着部材ＡＤ、および剥離シート２には、基材１の長辺と上記ミシン目とが交差する位置に切欠きｎが形成されている。
【００１８】
医療従事者は、上記ミシン目および切欠きｎを利用して、隣り合う２つの電極端子の間の領域において、生体電極１０を複数に分割することができる。より具体的には、医療従事者は、たとえば、基材１の端部を電極端子３ａと電極端子３ｂとの間のミシン目に沿って指で切り離すことができる。すなわち、電極端子３ａが取り付けられた基材１を含む単位電極１０ａを容易に分離することができる。医療従事者は、生体電極１０を使用する際に剥離シート２を基材１の裏面から剥がして患者の体表に貼付する。
【００１９】
本実施形態では、生体電極１０は６個の単位電極１０ａ〜１０ｆを含む。生体電極１０は、最も使用頻度の多い胸部誘導に使用するために６個以上の単位電極を含むことが好ましい。
【００２０】
図１Ｃには単位電極１０ａが示されており、電極端子３ａは、基部ＢＳと、基部ＢＳから突出した突出部ＰＲと、突出部ＰＲに嵌合しているキャップＣＴとを有する。キャップＣＴは、基部ＢＳと協働して基材１を挟みつけた状態で突出部ＰＲに嵌合している。キャップＣＴには、心電計本体からの図示しない信号線ケーブルを接続するためのクリップが接続されうる。基部ＢＳの導電性部材４ａと接触している部分は、Ａｇ／ＡｇＣｌの被覆層によって被覆されている。他の単位電極１０ｂ〜１０ｆも同様である。
【００２１】
図１Ａおよび図１Ｂに示すとおり、電極端子３ａ〜３ｆは、基材１に互いに等間隔に離隔して一列に並んで配置される。基材１の表（おもて）面には、基材１の貫通孔を貫通した突出部ＰＲに嵌合されたキャップＣＴが位置し、基材１の裏面には基部ＢＳが位置する。本実施形態では、隣り合う電極端子の間隔は、成人男子の標準的な体形から５ｃｍ程度としたが、いろいろな体形を考慮して３〜８ｃｍまで１ｃｍ間隔で用意することが好ましい。電極端子３ａ〜３ｆは、上記信号線ケーブルを通じて心電計本体と電気的に接続されうる。上記信号線ケーブルには、突出部ＰＲを挟持するクリップ（図示せず）が設けられ、電極端子３ａ〜３ｆとの電気的接続が確保されうる。
【００２２】
導電性部材４ａ〜４ｆは、患者の皮膚表面と接触したとき、患者の皮膚表面と電極端子３ａ〜３ｆとの電気的接続を確保する。
【００２３】
以上のとおり構成される本実施形態の生体電極１０は、基材１に互いに等間隔に離隔して一列に並んで配置される電極端子３ａ〜３ｆと、患者の皮膚表面と接触し、患者の皮膚表面と電極端子３ａ〜３ｆとの電気的接続を確保する導電性部材４ａ〜４ｆとを有する。
【００２４】
＜生体電極の梱包例＞
次に、図２を参照して、本実施形態における生体電極の梱包について説明する。図２は、本実施形態における生体電極の梱包例を説明するための図である。
【００２５】
本実施形態では、生体電極１０は、所定の枚数を束にして横に並べた状態で梱包材ＷＰに収容される。梱包材ＷＰは、たとえばビニール袋である。図２には、３枚を一束にして横に３列並べた場合について例示されている。本実施形態の生体電極１０は、単位電極が一列に連続的に形成されているので、生体電極１０同士が整列して重なり合うように配置して梱包することができる。したがって、生体電極が１つ１つ個別に製造され、所定の個数がばらばらに梱包材ＷＰに収容されている場合に比べて、梱包材ＷＰの中の電極間の余分な隙間空間が減少するので、生体電極１０が梱包材ＷＰの中で占める嵩（体積）を減少させることができる。その結果、生体電極１０の収納性が向上する。
【００２６】
＜生体電極の貼付方法＞
次に、図３、図４、および図５Ａ〜図５Ｅを参照して、本実施形態の生体電極の貼付方法を説明する。図３は生体電極の電極貼付位置を説明するための人体の部分的な模式図であり、図４はホルタ心電図検査用に使用する場合における生体電極の電極貼付位置を説明するための人体の部分的な模式図である。また、図５Ａは本実施形態において、１２誘導心電図の胸部誘導の測定に生体電極を使用する場合について説明するための図であり、図５Ｂは本実施形態において、１２誘導心電図の胸部誘導および四肢誘導の測定に生体電極を使用する場合について説明するための図である。また、図５Ｃは本実施形態において、３電極法（３点誘導法）のモニタリングの測定に生体電極を使用する場合について説明するための図であり、図５Ｄは本実施形態において、５電極の心電図測定に生体電極を使用する場合について説明するための図である。さらに、図５Ｅは本実施形態において、６電極の心電図測定に生体電極を使用する場合について説明するための図である。
【００２７】
図３に示すとおり、１２誘導心電図の測定では、電極貼付位置Ｃ１〜Ｃ６、Ｒ、Ｌ、Ｆ、およびＮ（ＲＦ）の位置に電極を貼付する。電極貼付位置Ｃ１とＣ２とは胸骨を挟んで左右対称の位置にあり、Ｃ２〜Ｃ６はほぼ直線上に位置する。胸部誘導Ｖ１〜Ｖ６に使用される電極はＣ１〜Ｃ６の位置にそれぞれ貼付され、四肢誘導に使用される電極はＲ、Ｌ、Ｆ、およびＮ（ＲＦ）の位置に貼付される。医療従事者は、胸部誘導および四肢誘導の１２誘導心電図を測定する場合、電極貼付位置Ｃ１〜Ｃ６、Ｒ、Ｌ、Ｆ、およびＮ（ＲＦ）の位置に電極を貼付し、電極の各々の電極端子に心電計からの信号線ケーブルを取り付ける。１２誘導心電図では、上述のとおり１０個の電極を患者の体表に添付し、胸部誘導および四肢誘導からなる合計１２の方向についての誘導を記録する。
【００２８】
また、３電極法の測定では、Ｒ、Ｌ、およびＦの位置に電極を貼付する。３電極法は、一般にモニタ心電図と呼ばれ、病室（ベッドサイドモニタ）やナースステーション（セントラルモニタ）で心電図を監視するときに用いられる。
【００２９】
また、５電極を使用する場合の心電図測定では、Ｒ、Ｌ、Ｆ、およびＮ（ＲＦ）とＣ１〜Ｃ６のいずれか１つの位置に電極を貼付する。さらに、６電極を使用する場合の心電図測定では、Ｒ、Ｌ、Ｆ、およびＮ（ＲＦ）とＣ１〜Ｃ６のいずれか２つの位置に電極を貼付する。５電極および６電極を使用する心電図測定では、１２誘導心電図の四肢誘導に加えて胸部誘導の一部の誘導を測定することができる。
【００３０】
さらに、図４に示すとおり、ホルタ心電図検査用に使用する場合では、ＣＨ１＋、ＣＨ１−、ＣＨ２＋、ＣＨ２−、およびＮの電極貼付位置に電極を貼付する。ホルタ心電計は、患者が携帯できるように小型に作られており、通常の心電図測定よりも長い時間にわたり電極を患者の体表に貼付することで、長時間の心電図を測定することができる。
【００３１】
図５Ａに示すとおり、本実施形態の生体電極１０を１２誘導心電図の胸部誘導の測定に使用する場合、医療従事者は、単位電極１０ａを生体電極１０の本体から分離し、患者ＰＴのＣ１の位置に貼付する。そして、Ｃ２の位置に単位電極１０ｂが対応し、Ｃ６の位置に単位電極１０ｆが対応するように生体電極１０を貼付する。すなわち、Ｃ２の位置を始点とし、Ｃ６の位置を終点として単位電極１０ｂ〜１０ｆを直線的に貼付する。このとき、Ｃ１とＣ２とを結ぶ線と生体電極１０とがなす角度θは、約１５度が好適である。
【００３２】
単位電極１０ａを生体電極１０の本体から分離するのは、Ｃ１の位置を始点とし、Ｃ６の位置を終点として直線的に生体電極１０を貼付すると、実際に貼付される単位電極１０ｂの位置が、Ｃ２の位置と比べて下側にずれてしまうためである。胸部誘導Ｖ２は、左冠動脈の虚血を判定する際に正確に測定されなければならないので、単位電極１０ｂが正確にＣ２の位置に貼付される必要がある。
【００３３】
また、救急において１２誘導心電図を測定し、限局した前壁、前壁中隔、前側壁の梗塞を診断するには、胸部誘導を測定することが不可欠である。とくに、Ｃ１およびＣ２の位置に単位電極１０ａ，１０ｂを正確に貼付することが重要である。そのため、本実施形態では、単位電極１０ａを生体電極１０の本体から分離し、Ｃ１の位置に貼付し、Ｃ２の位置を始点とし、Ｃ６の位置を終点として単位電極１０ｂ〜１０ｆを直線的に貼付する。
【００３４】
また、図５Ｂに示すとおり、本実施形態の生体電極を１２誘導心電図の胸部誘導および四肢誘導の測定に使用する場合は、１０個の単位電極を含む生体電極１０を使用する。１０個の単位電極のうち四肢誘導用に４個の単位電極を分離し、それぞれＲ、Ｌ、Ｆ、およびＮ（ＲＦ）の位置に貼付する。そして、残りの６個の単位電極を上述した胸部誘導における生体電極の貼付方法に従ってＣ１〜Ｃ６に貼付する。
【００３５】
このように、本実施形態では、Ｖ１〜Ｖ６胸部誘導の測定に使用する６個の単位電極を貼付する際に電極貼付位置Ｃ１に貼付する単位電極を１つだけ分離して、残りの単位電極を患者ＰＴの胸部の電極貼付位置Ｃ２〜Ｃ６に対応するように直線的に貼付する。したがって、１つ１つ個別に製造された生体電極を患者ＰＴの胸部における電極貼付位置Ｃ２〜Ｃ６に１つ１つ貼付する場合に比べて貼付作業に手間がかからない。その結果、１２誘導心電図の測定など多くの電極を必要とする測定にも使用でき、かつ患者ＰＴの胸部の電極貼付位置に短時間で貼付できる。また、隣り合う単位電極の間隔は一定であるため、Ｖ２〜Ｖ６胸部誘導に対応する電極端子３ｂ〜３ｆを一定の位置に貼付できる。したがって、貼付作業を実施する医療従事者の間で生体電極１０を貼付する位置がばらつくことを抑制できる。
【００３６】
さらに、本実施形態の生体電極１０の単位電極は、互いに分離可能に構成されているので、３電極法（３点誘導法）のモニタリングに使用する場合、５電極を使用する場合またはホルタ心電図検査用に使用する場合、６電極を使用する場合などにも使用することができる。
【００３７】
たとえば、図５Ｃに示すとおり、本実施形態の生体電極１０を３電極法のモニタリングに使用する場合、６個の単位電極を含む生体電極を使用し、３個の単位電極１０ａ，１０ｂ，１０ｃを分離してそれぞれ電極貼付位置Ｒ、Ｌ、およびＦに貼付する。残りの３個の単位電極は、次回に使用するために保管される。
【００３８】
また、図５Ｄに示すとおり、５電極の心電図の測定に生体電極を使用する場合は、１０個の単位電極を含む生体電極１０を使用する。１０個の単位電極のうち５個の単位電極を分離し、このうちの４個をそれぞれＲ、Ｌ、Ｆ、およびＮ（ＲＦ）の位置に貼付する。そして、残りの１個の単位電極を電極貼付位置Ｃ１〜Ｃ６のいずれかに貼付する。５電極の心電図では、心筋虚血モニタリングを実施できる。また、ホルタ心電図検査用の測定では、図４に示すＣＨ１＋、ＣＨ１−、ＣＨ２＋、ＣＨ２−、およびＮの電極貼付位置に電極を貼付する。なお、分離せずに残った５個の単位電極は次回に使用するために保管される。
【００３９】
さらに、図５Ｅに示すとおり、６電極の心電図測定に生体電極を使用する場合は、６個の単位電極を含む生体電極１０を使用する。６個の単位電極を分離し、それぞれＲ、Ｌ、Ｆ、Ｎ（ＲＦ）の位置と、Ｃ１〜Ｃ６のいずれか２つの位置とに貼付する。
【００４０】
なお、以上では生体電極に含まれる単位電極の数を６個または１０個の場合を例示して説明した。しかしながら、生体電極に含まれる単位電極の個数は６個および１０個に限定されない。たとえば、生体電極に含まれる単位電極の個数は３〜５個でもよい。また、単位電極の個数を７個、８個、９個、または１０個以上とすることにより、体格の大きい患者に対応することができる。この場合、電極貼付位置から外れていて測定に使用しない単位電極の電極端子は信号線ケーブルに接続しなければよい。
【００４１】
また、単位電極の個数を増やして隣り合う電極端子の間隔を狭めた生体電極を使用することにより、単位電極を至適な位置に貼付することも可能である。たとえば、Ｃ２〜Ｃ６に貼付する単位電極の個数は少なくとも５個あれば十分である。しかしながら、単位電極の個数をたとえば７個に増やして隣り合う電極端子の間隔を狭めた生体電極を使用することにより、より正確な位置に単位電極を貼付することができる。この場合も電極貼付位置から外れて測定に使用しない単位電極の電極端子は信号線ケーブルに接続しないことで対応できる。とくに、Ｃ３−Ｃ４間およびＣ４−Ｃ５間の間隔は個人差があることが多いので、電極端子の間隔を狭めた生体電極を使用する効果が大きい。また、子供など体格が小さい患者に対しても、隣り合う電極端子の間隔を狭めた生体電極を別途用意することで対応できる。したがって、１シートあたりの単位電極の個数および電極端子の間隔を変えたいくつかのタイプの生体電極を用意しておけば、子供から大人まであらゆる体格の患者の心電図測定に対応できる。
【００４２】
＜実験例＞
次に、図６Ａおよび図６Ｂを参照して、本実施形態の生体電極を貼付する施行時間を計測する実験例を説明する。図６Ａは本発明の第１の実施形態の生体電極を被験者に貼付する実験を実施した際の施行時間を示す図であり、図６Ｂは従来の生体電極を被験者に貼付する実験を実施した際の施行時間を比較例として示す図である。従来の生体電極は、１つ１つ個別に製造され、所定の個数がビニール袋などで梱包されている。図６Ａおよび図６Ｂにおいて、縦軸は時間（秒）であり、横軸は５名の実験者を示す。
【００４３】
図６Ａに示すとおり、本実施形態の生体電極１０を使用した場合の施行時間を測定した。Ｖ２−Ｖ６胸部誘導の施行時間（平均値±標準誤差）は、２８．０±２．５秒であった。また、胸部誘導および四肢誘導の合計の施行時間は、４４．２±２．８秒であった。一方、図６Ｂに示すとおり、従来の生体電極では、Ｖ２−Ｖ６胸部誘導の施行時間（平均値±標準誤差）は、４７．４±４．５秒であった。また、Ｖ２−Ｖ６胸部誘導および四肢誘導の合計の施行時間は、６４．２±５．５秒であった。
【００４４】
つまり、本実施形態の生体電極１０を用いた場合、従来の生体電極を用いた場合に比べて施行時間が平均で約４１％短縮した。
【００４５】
（第２の実施形態）
第１の実施形態では、１回の心電図測定で使用する分の単位電極が１シートの生体電極に含まれる場合について説明した。一方、本発明の第２の実施形態では、複数回の心電図測定で使用する分の単位電極が生体電極ロールに含まれる場合について説明する。
【００４６】
図７は、本発明の第２の実施形態の生体電極ロールを説明するための図である。図７に示すとおり、本実施形態の生体電極ロール３０は、生体電極１０および緩衝材２０を有する。本実施形態では、第１の実施形態とは異なり、生体電極１０は、複数回の心電図測定で使用する分の単位電極を含み、ロール状に巻回されている。
【００４７】
緩衝材２０は、ロール状に巻回された生体電極１０の基材１および導電性部材が電極端子によって損傷を受けることを防止する。緩衝材２０は、たとえばポリエチレンなどの材料を用いて生体電極１０から容易に剥がすことができるように生体電極１０上に形成され、生体電極１０とともにロール状に巻回される。
【００４８】
本実施形態では、生体電極１０がロール状に巻回されているので、医療従事者は、心電図測定に必要な個数の単位電極を含む生体電極１０を生体電極ロール３０の本体から切り離して使用できる。したがって、１シートあたりの単位電極の個数を変えた生体電極を予め用意しておかなくても必要な分の単位電極を切り取って使用することができる。その結果、３電極法のモニタリングや単位電極を４個〜６個使用する心電図測定にも適用できる。
【００４９】
また、本実施形態の生体電極ロール３０では、複数の単位電極が一列に連続してロール状に形成されているので、生体電極が１つ１つ個別に製造されて袋に梱包される場合や単位電極が三角形の頂点の位置に配置される場合に比べてかさばらないため収納性が高い。その結果、梱包材ＷＰを小型化できることに加えて、梱包材ＷＰから取り出し易い。
【００５０】
なお、緩衝材２０で剥離シート２を兼用してもよい。また、生体電極１０の基材１等が損傷を受けにくい材料であれば緩衝材２０を省略してもよい。
【００５１】
以上のとおり、実施形態において、本発明の生体電極および生体電極ロールを説明した。しかしながら、本発明は、その技術思想の範囲内において当業者が適宜に追加、変形、および省略することができることはいうまでもない。
【００５２】
たとえば、第１および第２の実施形態では基材が略矩形状で、単位電極の基材も矩形に形成される場合を説明した。しかしながら、単位電極の基材は、たとえば円、楕円、多角形など矩形以外の形状に形成されてもよい。すなわち、基材の形状は、単位電極の円、楕円、多角形などの基材が連結されて、帯状となる。
【００５３】
また、上述した第１の実施形態では生体電極の基材の裏面に粘着部材を設ける場合について説明した。しかしながら、生体電極の構造は、上述した構造に限定されない。たとえば、導電性部材として導電性粘着ゲルを基材の裏面の全面に設け、導電性粘着ゲルで導電性部材および粘着部材を兼用してもよい。また、電極端子の基部をすべて含む基材の裏面の一部に導電性ゲルを設け、基材の裏面に粘着剤を設けて（基材として粘着テープ状のものを使用して）、粘着部材を省略してもよい。
【００５４】
また、上述の第１の実施形態では、生体電極を患者に貼付したのちに信号線ケーブルを生体電極の電極端子に接続する場合について説明した。しかしながら、生体電極を患者に貼付する前に心電計からの信号線ケーブルを電極端子に予め接続しておいてもよい。この場合、心電図測定の準備が整えられているので、生体電極を患者に貼付したのちに心電図測定を速やかに開始できる。
【符号の説明】
【００５５】
ＡＤ  粘着部材、
ＢＳ  電極端子の基部、
ＣＴ  キャップ、
ｎ  切欠き、
ＰＲ  電極端子の突出部、
ｐ    ミシン目、
ＰＴ  患者、
ＷＰ  梱包材、
１  基材、
２  剥離シート、
３ａ〜３ｆ  電極端子、
４ａ〜４ｆ  導電性部材、
１０  生体電極、
１０ａ〜１０ｆ  単位電極、
２０  緩衝材、
３０  生体電極ロール。
【図１Ａ】
2013252180.tif 000003
【図１Ｂ】
2013252180.tif 000004
【図１Ｃ】
2013252180.tif 000005
【図２】
2013252180.tif 000006
【図４】
2013252180.tif 000007
【図７】
2013252180.tif 000008
【図３】
2013252180.tif 000009
【図５Ａ】
2013252180.tif 000010
【図５Ｂ】
2013252180.tif 000011
【図５Ｃ】
2013252180.tif 000012
【図５Ｄ】
2013252180.tif 000013
【図５Ｅ】
2013252180.tif 000014
【図６Ａ】
2013252180.tif 000015
【図６Ｂ】
2013252180.tif 000016